(57)【要約】【課題】  後片付けが簡単で、介護人に悪影響を与えることなく被介護人の身体を奇麗に清浄することができる身体清浄具を提供すること。【解決手段】  薄板状の端部１２が被介護人の身体Ｂと接触して当該身体Ｂの表面に付着した不要物Ｆを擦り落とし可能なスクレープ部１１と、このスクレープ部１１と接続され手Ｈで把持可能な把持部２１とから構成する。上記スクレープ部１１と把持部２１とを一体形成する。上記スクレープ部１１と把持部２１とを紙製とする。上記把持部２１を把持した手Ｈを覆い可能なカバー３１を設ける。上記カバー３１を、裏返してスクレープ部１１を中に収容可能に形成する。【選択図】  図１
2005080716.tif 000002
【特許請求の範囲】
【請求項１】
薄板状の端部が被介護人の身体と接触して当該身体表面に付着した不要物を擦り落とし可能なスクレープ部と、このスクレープ部と接続され手で把持可能な把持部とからなる身体清浄具。
【請求項２】
前記スクレープ部と前記把持部とが一体形成された請求項１記載の身体清浄具。
【請求項３】
前記スクレープ部と前記把持部とが紙製とされた請求項１又は２記載の身体清浄具。
【請求項４】
前記把持部を把持した手を覆い可能なカバーを設けた請求項１，２又は３記載の身体清浄具。
【請求項５】
前記カバーが、裏返して前記スクレープ部を中に収容可能に形成された請求項４記載の身体清浄具。
【発明の詳細な説明】
【技術分野】
【０００１】
本発明は、被介護人（入浴し難い病人や寝たきりの老人など）の身体を清浄にするのに使用される身体清浄具に関する。
【背景技術】
【０００２】
病人や寝たきりの老人のように看護や介護が必要な人（いわゆる被介護人）は、入浴して身体に付着した不要物（垢，尻や背中などに付着した排泄物等）を除去できないことが多い。そのため、従来は介護人が適時ティッシュやタオルなどで被介護人の身体を拭いて不要物を除去していた（例えば特許文献１参照）。
【特許文献１】登録実用新案第３０３６０９０号
【発明の開示】
【発明が解決しようとする課題】
【０００３】
しかし、上記した不要物の除去方法では、被介護人の身体を十分に奇麗に清浄しにくいことが指摘されている。介護人を不潔な状態のままで放置しておくことは、衛生面や精神衛生上からも看過できない。なお、上記不要物除去方法はティッシュ等の使用量が多く、後片付けが大変となる不都合もある。また、介護人がティッシュ等を介して被介護人の排泄物や患部などに接触してしまった場合には、病気が移るなどの悪影響が生じるおそれがある。
【０００４】
本発明の目的は、後片付けが簡単で、介護人に悪影響を与えることなく被介護人の身体を奇麗に清浄することができる身体清浄具を提供することにある。
【課題を解決するための手段】
【０００５】
請求項１の発明は、薄板状の端部が被介護人の身体と接触して当該身体表面に付着した不要物を擦り落とし可能なスクレープ部と、このスクレープ部と接続され手で把持可能な把持部とからなる身体清浄具である。
【０００６】
上記請求項１の発明の場合、スクレープ部の薄板状の端部を被介護人の身体に押し当て、その状態でスクレープ部を動かせば、当該身体に付着した不要物（垢や付着排泄物等）は剥がされるように除去される。そのため、被介護人の身体を奇麗に清浄できる。また、従来のように不要物をティッシュ等になすりつける方式ではないので、多くても数個（通常は１個）使用すれば十分に身体を清浄できる。そのため、ゴミとなる量が少なく後片付けが簡単である。また、不要物と接触するスクレープ部と介護人が手で把持する把持部とは別であるので、介護人の手に不要物が付着するのが防止される。そのため、介護人に病気が移るなどの悪影響を及ぼさない。
【０００７】
請求項２の発明は、前記スクレープ部と前記把持部とが一体形成された身体清浄具である。
【０００８】
上記請求項２の発明では、請求項１の発明の場合と同様な作用・効果を奏し得る他、構成がより一層簡単化する。
【０００９】
請求項３の発明は、前記スクレープ部と前記把持部とが紙製とされた身体清浄具である。
【００１０】
上記請求項３の発明では、請求項１又は２の発明の場合と同様な作用・効果を奏し得る他、素材の入手が容易で一段とコスト低減を図れる。
【００１１】
請求項４の発明は、前記把持部を把持した手を覆い可能なカバーを設けた身体清浄具である。
【００１２】
上記請求項４の発明では、請求項１，２又は３の発明の場合と同様な作用・効果を奏し得る他、介護人に悪影響を与えるのを一段と確実に防止できる。
【００１３】
請求項５の発明は、前記カバーが、裏返して前記スクレープ部を中に収容可能に形成された身体清浄具である。
【００１４】
上記請求項５の発明では、請求項４の発明の場合と同様な作用・効果を奏し得る他、後片付けが一段と容易かつ衛生的に行える。
【発明の効果】
【００１５】
請求項１の発明によれば、後片付けが簡単で、介護人に悪影響を与えることなく被介護人の身体を奇麗に清浄することができる。
【００１６】
請求項２の発明によれば、請求項１の発明の場合と同様な効果を奏し得る他、構成がより一層簡単化する。
【００１７】
請求項３の発明によれば、請求項１又は２の発明の場合と同様な効果を奏し得る他、素材の入手が容易で一段とコスト低減を図れる。
【００１８】
請求項４の発明によれば、請求項１，２又は３の発明の場合と同様な効果を奏し得る他、介護人に悪影響を与えるのを一段と確実に防止できる。
【００１９】
請求項５の発明によれば、請求項４の発明の場合と同様な効果を奏し得る他、後片付けが一段と容易となる。
【発明を実施するための最良の形態】
【００２０】
本発明の最良の実施の形態を図面を参照しながら説明する。
【００２１】
本発明に係る身体清浄具１０は、図１（Ａ），（Ｂ）に示すように、薄板状の端部１２が被介護人の身体Ｂと接触して当該身体Ｂの表面に付着した不要物Ｆを擦り落とし可能なスクレープ部１１と、このスクレープ部１１と接続され手Ｈで把持可能な把持部２１とから構成されている。
【００２２】
この実施の形態では、身体清浄具１０のスクレープ部１１と把持部２１とは紙製で一体形成されている。この身体清浄具１０は、女性の介護人でも扱いやすいように、例えば横寸法Ｌ１が１１０ｍｍ，縦寸法Ｌ２が１００ｍｍとされている。そして、厚さｔ（例えば、ｔ＝０．５ｍｍ）は一様とされ、図１（Ｂ）に示すように、スクレープ部１１と把持部２１との境界線１５で屈曲されている。かかる構成により、スクレープ部１１が把持部２１に対して変位しやすくなり、当該スクレープ部１１が被介護人の身体Ｂに強く当たり過ぎるのが防止される。なお、把持部２１も、介護人が把持しやすいように中央部分２５から屈曲されている。
【００２３】
上記構成の身体清浄具１０によれば、図２（Ｂ）に示すように、スクレープ部１１の薄板状の端部１２を被介護人の身体Ｂの各部位（尻、腰、背中など）に押し当て、その状態でスクレープ部１１を動かせば、当該身体Ｂに付着した不要物（垢や付着排泄物等）Ｆは剥がされるように除去される。
【００２４】
そのため、被介護人の身体Ｂを奇麗に清浄できる。また、従来のように不要物をティッシュ等になすりつける方式ではないので、数個（通常は１個）使用すれば十分に身体Ｂを奇麗にできる。そのため、ゴミとなる量が少なく後片付けが簡単である。また、不要物Ｆと接触するスクレープ部１１と介護人が手Ｈで把持する把持部２１とが別であるので、介護人の手Ｈに不要物Ｆが付着するのが防止される。そのため、介護人に病気が移るなどの悪影響を及ぼさない。
【００２５】
ここで、上記した身体清浄具１０に、図３（Ａ），（Ｂ）に示すように、把持部２１を把持した手Ｈを覆うことができるカバー３１を設けてもよい。このカバー３１は、薄くて透明な合成樹脂シート製で袋状に形成されており、一端部３２は把持部２１の大半を内側に収容した状態で閉じられるとともに他端部３３は開放されている。そして、このカバー３１は、裏返してスクレープ部１１を中に収容可能に形成されている。なお、カバー３１は、介護人の手Ｈと上着の袖Ｊ部分とを覆える長さとすれば、より効果的である。
【００２６】
したがって、介護人は、図４（Ａ），（Ｂ）に示すように、手Ｈをカバー３１の中に差し入れて把持部２１を持ち、スクレープ部１１を被介護人の身体Ｂに接触させて不要物Ｆの除去作業を行うことができ、手Ｈや上着の袖Ｊなどに不要物Ｆが付着するのを一段と確実に防止できる。そして、図５に示すように、使用後はカバー３１を裏返してスクレープ部１１を中に収容し、当該カバー３１の他端部３３を結び目等を作って縛れば、スクレープ部１１に付着した不要物Ｆを介護人の身体やベッドなどに接触させることなく、より衛生的に後片付けできる。
【００２７】
なお、上記実施形態では、スクレープ部１１と把持部２１とを一体形成したが別体としてもよい。また、紙以外の材料で構成してもよい。また、カバー３１を合成樹脂シート製としたが、可燃物扱いの紙製としてもよい。これにより、廃棄物処理を一段と容易に行える。
【図面の簡単な説明】
【００２８】
【図１】本発明の全体構成を示す図である。
【図２】使用方法を説明するための図である。
【図３】本発明の変形例を説明するための図である。
【図４】図３に示す身体清浄具の使用方法を説明するための図である。
【図５】後片付けする際の態様を示す図である。
【符号の説明】
【００２９】
１０  身体清浄具
１１  スクレープ部
１２  スクレープ部の端部
１５  境界線
２１  把持部
２５  把持部の中央部分
３１  カバー
３２  カバーの一端部
３３  カバーの他端部
【図１】
2005080716.tif 000003
【図２】
2005080716.tif 000004
【図３】
2005080716.tif 000005
【図４】
2005080716.tif 000006
【図５】
2005080716.tif 000007